(57)【要約】【課題】思わぬ電力をできるだけ消費せずに表示情報量が変動する情報を表示する。【解決手段】制御部（回路基板３０）は、第１の動作が行われると第１の情報を表示領域に表示すると共に、第１の動作から又は第１の情報の表示開始から所定の設定時間を経過するまでに第２の動作が行われた場合には、第１の情報の表示が終了した後に第２の情報を表示領域に表示し、所定の設定時間を経過するまでに第２の動作が行われなかった場合には、第１の情報の表示が終了した後に第２の情報を表示領域に表示しないように制御する。【選択図】図４
2011234384.tif 000002
【特許請求の範囲】
【請求項１】
所定の表示領域を有する表示部と、
表示情報量が一定である第１の情報と表示情報量が変動する第２の情報のいずれかを前記表示領域に表示する制御を行う制御部と、を有し、
前記制御部は、
第１の動作が行われると前記第１の情報を前記表示領域に表示すると共に、前記第１の動作から又は前記第１の情報の表示開始から所定の設定時間を経過するまでに第２の動作が行われた場合には、前記第１の情報の表示が終了した後に前記第２の情報を前記表示領域に表示し、前記所定の設定時間を経過するまでに前記第２の動作が行われなかった場合には、前記第１の情報の表示が終了した後に前記第２の情報を前記表示領域に表示しない制御を行う、
ことを特徴とする表示機器。
【請求項２】
前記制御部は、
前記第２の動作が行われると前記第１の表示を終了させると共に、前記第２の情報を前記表示領域に表示する制御を行う、
ことを特徴とする請求項１に記載の表示機器。
【請求項３】
前記制御部は、
前記第１の動作が行われると前記第１の情報を前記表示領域に所定の表示時間表示すると共に、前記第１の動作又は前記第１の情報の表示開始から所定の設定時間を経過するまでに前記第２の動作が行われた場合には、前記所定の表示時間が経過した後に前記第２の情報を前記表示領域に表示する制御を行う、
ことを特徴とする請求項１に記載の表示機器。
【請求項４】
前記制御部は、
前記第２の情報の表示中に前記操作部に対して第３の動作が行われると、前記第２の情報の表示を終了する制御を行う、
ことを特徴とする請求項１から請求項３のいずれか１項に記載の表示機器。
【請求項５】
前記制御部は、
前記第２の情報が前記表示部の表示領域に表示可能な情報量よりも多い情報量を有して構成される場合に、前記第２の情報を前記表示領域にスクロール表示する制御を行う、ことを特徴とする請求項１から請求項４のいずれか１項に記載の表示機器。
【請求項６】
前記制御部は、
現在時刻を前記第１の情報として前記表示領域に表示する制御を行う、
ことを特徴とする請求項１から請求項５のいずれか１項に記載の表示機器。
【請求項７】
受信情報を受信する受信部をさらに有し、
前記制御部は、
前記受信情報を前記第２の情報として前記表示領域に表示する、
ことを特徴とする請求項１から請求項６のいずれか１項に記載の表示機器。
【請求項８】
前記受信部により受信された受信情報を記憶する記憶部をさらに有し、
前記制御部は、
前記記憶部に記憶された受信情報のうちA前記第２の動作がされた時点に最も近い時点で受信された受信情報を前記第２の情報として前記表示領域に表示する、
ことを特徴とする請求項７に記載の表示機器。
【請求項９】
前記制御部は、
前記受信情報の表示中に第４の動作が行なわれた場合には、前記受信情報の表示が終了した後に、他の受信情報を前記表示領域に表示する、
ことを特徴とする請求項８に記載の表示機器。
【請求項１０】
操作部をさらに有し、
前記制御部は、
前記操作部に対する第１の操作を前記第１の動作、前記操作部に対する第２の操作を前記第２の動作と認識して、前記制御を行う、
ことを特徴とする請求項１に記載の表示機器。
【請求項１１】
所定の表示領域を有する表示部と、表示情報量が一定である第１の情報と表示情報量が変動する第２の情報のいずれかを前記表示領域に表示する制御を行う制御部と、を備えた表示機器における表示制御方法であって、
第１の動作が行われると前記第１の情報を前記表示領域に表示するステップと、
前記第１の動作から又は前記第１の情報の表示開始から所定の設定時間が経過するまでに第２の動作が行われた場合には、前記第１の情報の表示が終了した後に前記第２の情報を前記表示領域に表示するステップと、
前記所定の設定時間を経過するまでに前記第２の動作が行われなかった場合には、前記第１の情報の表示が終了した後に前記第２の情報を前記表示領域に表示しない制御を行うステップと、
を有することを特徴とする表示制御方法。
【発明の詳細な説明】
【技術分野】
【０００１】
本発明は、所定の表示領域を有する表示部を備えた表示機器および表示制御方法に関する。
【背景技術】
【０００２】
携帯情報端末は普及が進むにつれ、その性能向上には目覚しいものがあり、機能の充実化がはかられている。最近では、ＢＣＭＣＳ（Broadcast／Multicast Service）と称される機能がネットワークに見込まれ、キャリア側から特定のコンテンツを放送のように多数のユーザに対して同時配信する機能が提供されようになり、同サービスに対応可能な携帯情報端末が多数出現している。このＢＣＭＣＳを使用すれば、ラジオの文字多重放送のように、対応する携帯情報端末にデータの一斉配信が可能になる。
【０００３】
また、上記したＢＣＭＣＳと同様、利用者が、特に、能動的な動作を行なうことなく、テレビ受信する場合と同様の感覚で、次々に自動的に切替わるＷｅｂ（World Wide Web）ページや広告やニュースなどの情報の受信を可能とする自動情報配信システムが出願されている（例えば、特許文献１参照）。
【先行技術文献】
【特許文献】
【０００４】
【特許文献１】特開２００４−２１３２６号公報
【発明の概要】
【発明が解決しようとする課題】
【０００５】
しかしながら、受信したＷｅｂページや広告やニュースの表示情報量は、常に一定というわけではなく受信の都度変動するものであるため、したがって、例えば、表示情報量が非常に多いＷｅｂページや広告やニュースが受信されて、受信したＷｅｂページや広告やニュースを表示部に表示しようとすると、その表示に多くの時間がかかり、思わぬ電力を消費するおそれがあるという課題があった。
【０００６】
かかる課題は、時計表示等の表示情報量が一定である情報と当該Ｗｅｂページや広告やニュースのように表示情報量が変動する情報のいずれかを所定の表示領域に表示する表示部を有する構成となっている表示機器においても同様に生ずるものである。すなわち、従来のかかる表示機器においては、所定の動作に応じて時計表示等のように情報量が一定である情報とＷｅｂページや広告等のように表示情報量が変動する情報との両方を連続して表示する構成をとなっていたが、やはりこの場合も当該表示に係るＷｅｂページや広告やニュースの表示情報量が非常に多い場合には、その表示に多くの時間がかかり思わぬ電力を消費するおそれがあるという課題がある。
【０００７】
本発明は上記した課題を解決するためになされたものであり、所定の表示領域を有し、表示情報量が一定である情報と表示情報量が変動する情報のいずれかを当該表示領域に表示する表示部を有する表示機器において、思わぬ電力をできるだけ消費せずに表示情報量が変動する情報を表示することのできる表示機器および表示制御方法を提供することを目的とする。
【課題を解決するための手段】
【０００８】
上記した課題を解決するために本発明の第１の観点の表示機器は、所定の表示領域を有する表示部と、表示情報量が一定である第１の情報と表示情報量が変動する第２の情報のいずれかを前記表示領域に表示する制御を行う制御部と、を有し、前記制御部は、第１の動作が行われると前記第１の情報を前記表示領域に表示すると共に、前記第１の動作から又は前記第１の情報の表示開始から所定の設定時間を経過するまでに第２の動作が行われた場合には、前記第１の情報の表示が終了した後に前記第２の情報を前記表示領域に表示し、前記所定の設定時間を経過するまでに前記第２の動作が行われなかった場合には、前記第１の情報の表示が終了した後に前記第２の情報を前記表示領域に表示しない制御を行う。
【０００９】
また、本発明の表示機器において、前記制御部は、前記第２の動作が行われると前記第１の表示を終了させると共に、前記第２の情報を前記表示領域に表示する制御を行う、ように構成してもよい。
【００１０】
また、本発明の表示機器において、前記制御部は、前記第１の動作が行われると前記第１の情報を前記表示領域に所定の表示時間表示すると共に、前記第１の動作又は前記第１の情報の表示開始から所定の設定時間を経過するまでに前記第２の動作が行われた場合には、前記所定の表示時間が経過した後に前記第２の情報を前記表示領域に表示する制御を行う、ように構成してもよい。
【００１１】
また、本発明の表示機器において、前記制御部は、前記第２の情報の表示中に前記操作部に対して第３の動作が行われると、前記第２の情報の表示を終了する制御を行う、ように構成してもよい。
【００１２】
また、本発明の表示機器において、前記制御部は、前記第２の情報が前記表示部の表示領域に表示可能な情報量よりも多い情報量を有して構成される場合に、前記第２の情報を前記表示領域にスクロール表示する制御を行う、ように構成してもよい。
【００１３】
また、本発明の表示機器において、前記制御部は、現在時刻を前記第１の情報として前記表示領域に表示する制御を行う、ように構成してもよい。
【００１４】
また、本発明の表示機器において、受信情報を受信する受信部をさらに有し、前記制御部は、前記受信情報を前記第２の情報として前記表示領域に表示する、ように構成してもよい。
【００１５】
また、本発明の表示機器において、前記受信部により受信された受信情報を記憶する記憶部をさらに有し、前記制御部は、前記記憶部に記憶された受信情報のうち、前記第２の動作がされた時点に最も近い時点で受信された受信情報を前記第２の情報として前記表示領域に表示する、ように構成してもよい。
【００１６】
また、本発明の表示機器において、前記制御部は、前記受信情報の表示中に第４の動作が行なわれた場合には、前記受信情報の表示が終了した後に、前記記憶部に記憶された他の受信情報を前記表示領域に表示する、ように構成してもよい。
【００１７】
また、本発明の表示機器において、操作部をさらに有し、前記制御部は、前記操作部に対する第１の操作を前記第１の動作、前記操作部に対する第２の操作を前記第２の動作と認識して、前記制御を行う、ように構成してもよい。
【００１８】
本発明の第２の観点の表示制御方法は、操所定の表示領域を有する表示部と、表示情報量が一定である第１の情報と表示情報量が変動する第２の情報のいずれかを前記表示領域に表示する制御を行う制御部と、を備えた表示機器における表示制御方法であって、第１の動作が行われると前記第１の情報を前記表示領域に表示するステップと、前記第１の動作から又は前記第１の情報の表示開始から所定の設定時間が経過するまでに第２の動作が行われた場合には、前記第１の情報の表示が終了した後に前記第２の情報を前記表示領域に表示するステップと、前記所定の設定時間を経過するまでに前記第２の動作が行われなかった場合には、前記第１の情報の表示が終了した後に前記第２の情報を前記表示領域に表示しない制御を行うステップと、を有する。
【発明の効果】
【００１９】
本発明によれば、表示情報量が一定である情報と表示情報量が変動する情報のいずれかを当該表示領域に表示する表示部を有する表示機器において、思わぬ電力をできるだけ消費せずに表示情報量が変動する情報を表示することのできる表示機器および表示制御方法を提供することができる。
【図面の簡単な説明】
【００２０】
【図１】本発明の実施の形態に係る表示機器の外観を開状態で示す正面図である。
【図２】本発明の実施の形態に係る表示機器の外観を開状態で示す外観図である。
【図３】本発明の実施の形態に係る表示機器の信号処理系の構成の一例を示すブロック図である。
【図４】本発明の実施の形態に係る表示機器の動作を説明するために引用したフローチャートである。
【図５】サブディスプレイへの時計表示の一例を示す図である。
【図６】サブディスプレイへのニュース表示の一例を示す図である。
【図７】記憶部に記憶されたニュース全文の一例を示す図である。
【図８】本発明の実施の形態に係る表示機器の画面遷移の一例を示す図である。
【発明を実施するための形態】
【００２１】
図１は、本発明の実施の形態に係る表示機器としての携帯電話１の外観を開状態で示す斜視図である。また、図２は、当該携帯電話１の外観を開状態を示す斜視図である。
【００２２】
携帯電話１は、受話筐体２および送話筐体３とを備え、それぞれの端部が回動の中心となる連結部４により連結されることにより開状態と閉状態との間を回動自在に連結されたいわゆる折り畳み式の携帯電話である。
受話筐体２および送話筐体３は、それぞれ概ね薄型直方体に形成されており、閉状態では互いに重ね合わされ（図２）、一方の筐体側から他方の筐体側を見たときに互いの輪郭が略一致するようになっている。
【００２３】
受話筐体２は、閉状態で送話筐体３に対向する面側の正面側ケース６と、その背面側の背面側ケース７と、背面側７の背面側に取り付けられるパネル８とを備えている。
受話筐体２の閉状態で送話筐体３に対向する正面Ｓ１は正面側ケース６により構成され、その反対側の背面Ｓ２は背面側ケース７およびパネル８により構成されている。正面側ケース６、背面側ケース７およびパネル８は、例えば、非導電性の樹脂によりそれぞれ成形されている。
【００２４】
受話筐体２の正面Ｓ１には、通話用のスピーカ（不図示）の放音孔１２が開口している。受話筐体２には、正面Ｓ１に映像や文字を所定の表示領域に表示する表示部としてのメインディスプレイ１３と、背面Ｓ２に映像や文字を所定の表示領域に表示する同じく表示部としてのサブディスプレイ１４および操作部１８としてのファンクションキー２８１、２８２、２８３、２８４とが設けられている。すなわち閉状態にて隠れる位置にメインディスプレイ１３が、閉状態にしても隠れない位置にサブディスプレイ１４がそれぞれ設けられている。メインディスプレイ１３およびサブディスプレイ１４は、例えば、液晶（ＬＣＤ：Liquid Crystal Display）表示装置や有機ＥＬ（Electronic Luminescence）など
の表示デバイスにより構成されている。なお、パネル８は透光性を有しており、サブディスプレイ１４の保護カバーを兼ねている。
【００２５】
送話筐体３は、閉状態で受話筐体２に対向する面側の正面側ケース９と、その背面側の背面側ケース１０と、背面側ケース１０の背面側に被せられる蓋体１１（不図示）とを備えている。送話筐体３の閉状態で受話筐体２に対向する正面Ｓ３は正面側ケース９により構成され、その反対側の背面Ｓ４は背面側ケース１０および蓋体１１により構成されている。正面側ケース９、背面側ケース１０および蓋体１１は、たとえば非導電性の樹脂によりそれぞれ成形されている。
【００２６】
送話筐体３の正面Ｓ３には通話用のマイクロフォン（不図示）の集音孔１６が閉口し、背面Ｓ４側では報知用スピーカ（不図示）の放音孔が開口している。送話筐体３には、正面Ｓ３に露出する各種キーを含む操作部１８が設けられている。各種キーは、たとえばダイヤルキー１８ａ、カーソルキー１８ｂ、ファクションキー１８ｃ、決定キー１８ｄとを有して構成される。なお、操作部１８には、タッチセンサ（不図示）が実装されていてもよい。
【００２７】
図３は、図１、図２に示す本発明の実施の形態に係る携帯電話１の信号処理系の構成の一例を示すブロック図であり、ここでは、特に送話筐体３に実装される回路基板３０の構成が示されている。
【００２８】
回路基板３０は、主制御部３００（制御部）と、記憶部３０１と、操作入力取得部３０２と、通信処理部３０３と、表示制御部３０４と、表示用メモリ３０５とを有して構成される。
【００２９】
記憶部３０１は主制御部３００が実行するプログラムの他に、後述する通信処理部３０３を介して取得されるニュースやメール等に関する受信情報が格納される、例えば、不揮発性メモリで構成される記憶手段である。
【００３０】
操作入力取得部３０２は、操作部１８によるキー１８ａ〜１８ｄ入力操作やファンクションキー２８１〜２８４への入力操作、あるいは、携帯電話１の開閉状態を検知して検知したことを主制御部３００へ通知する。
【００３１】
通信処理部３０３は、ＢＣＭＣＳ等、通信により外部から定期的に送信されるニュース等の情報の受信情報、あるいは不定期で送信されるメール等を受信して、受信した受信情報やメール等主制御部３００に引き渡す。
表示制御部３０４は、通信処理部３０３を介して受信した受信情報やメール等、あるいは主制御部３００により生成される表示情報を表示用メモリ３０５に描画し、メインディスプレイ１３やサブディスプレイ１４等の表示部の表示タイミングに同期して描画された受信情報やメール等あるいは表示情報を読み出して同表示部に表示する。なお、ここでは、表示用メモリ３０５を記憶部３０１とは独立した構成ブロックとして示したが、記憶部３０１の一部領域で代替してもよい。
【００３２】
主制御部３００は、先に示した記憶部３０１、操作入力部３０２、通信処理部３０３および表示制御部３０４を管理・制御する中央処理部であり、本実施形態では特に表示制御部３０４を介して、例えば、時計、電波状態、電池残量等の表示情報量が一定である、第１の情報と、例えば、ＢＣＭＣＳによる受信情報、メール本文等の表示情報量が変動する、第２の情報のいずれかを、サブディスプレイ１４の所定の表示領域に表示する制御を行う制御部として機能し、特に、第１の動作に応じて第１の情報を表示領域に表示すると共に、第１の動作から又は第１の情報の表示開始から所定の設定時間を経過するまでに第２の動作が行われた場合には、第１の情報の表示が終了した後に第２の情報を表示領域に表示し、所定の設定時間を経過するまでに第２の動作が行われなかった場合には、第１の情報の表示が終了した後に第２の情報を表示領域に表示しないように制御する。
【００３３】
ここで、「第１の動作」、および「第２の動作」とは、操作入力部３０２により検知されたファンクションキー２８１〜２８４（または図示しないサイドキーでも可）のいずれかの操作、あるいは図示しない開閉状態検出部により検出された携帯電話１を開状態から開状態に移行する動作のことをいう。
なお、本実施形態における第１の動作と第２の動作とは、同じ動作であっても異なる動作であってもよい。また、ファンクションキー２８１〜２８４いずれかの操作や携帯電話の開閉動作以外のその他の動作であってもよい。
また、「所定の設定時間」とは、第１の動作がされたとき、または第１の動作がなされて第１の情報が表示されたときから第２の情報を表示させる意図があるか否かを判定するために予め設定された時間をいう。また、「所定の表示時間」とは、第１の情報を表示してからその表示が終了するまでの予め設定された設定時間をいい、先に説明した「所定の設定時間」と同じ場合と、いずれかが小さい（大きい）場合の３パターンがありうる。詳細は後述する。
【００３４】
なお、サブディスプレイ１４は、受話筐体２の背面Ｓ２に設けられたファンクションキー２８１〜２８４の操作により、例えば、図５に示されるような時計等の表示情報量が一定の第１の情報表示が可能である。この時計表示は頻繁に使用されるため、より少ない操作で可能であることが望ましく、また一定時間の表示がユーザビリティ上最低限必要である。また、ネットワークから配信され、通信処理部３０３を介して受信され、表示情報量が変動する第２の情報としてのニュース等を表示可能に構成される。ニュースは、マルチキャスト通信によって配信され一定時間ごとに更新される。なお、表示しようとするニュース等がサブディスプレイ１４の表示領域に表示可能な情報量より多い情報量を有する場合には、そのニュース等はスクロール表示することにより、その全文を表示することができる。また、消費電力抑制のため、スクロールが終了するとサブディスプレイ１４を消灯し、その表示を終了する。なお、サブディスプレイ１４は所定の表示領域に第１の情報と第２の情報とのいずれかを表示可能に構成される。
このように、本実施形態に係る受話筐体２の背面Ｓ２に設けられたファンクションキー２８１〜２８４の操作により、例えば、図６に示されるようにサブディスプレイ１４にニュース表示を行うことで、ユーザはわざわざ筐体を開状態に設定して操作しなくとも時計やニュースを見ることができる。
【００３５】
なお、上記したサブディスプレイ１４は、消費電力抑制のために第１の情報を表示してから受話筐体２の背面Ｓ２に設けられたファンクションキー２８１〜２８４の操作が何らなく、所定の設定時間が経過すると消灯してその表示を終了するように制御され、この設定時間は、例えば、３秒〜２０秒程度であり、ユーザ設定により可変である。つまり、第１の情報の表示については、何らの操作がなく、所定の設定時間が経過すればその表示が終了されるため、思わぬ電力を消費するおそれはない。
図４は、本発明の実施の形態に係る表示機器の動作を説明するために引用したフローチャートである。ここでは、例えば、ここでは全角文字で１１文字分（半角文字で２２文字）の表示領域しか持たないサブディスプレイ１４に対し、主制御部３００により生成される時計情報を表示情報量が一定である第１の情報とし、通信処理部３０３を介して受信されるニュースあるいはメールを表示情報量が変動する第２の情報として、いずれかを表示する場合を例示して以下に説明する。
【００３６】
まず、サブディスプレイ１４が消灯している待受状態において、ユーザが受話筐体２の背面Ｓ２のファンクションキー２８１〜２８４のうちのいずれか一つを押下と（第１の動作）、操作入力取得部３０２は当該押下を検知してこれを時計表示要求として主制御部３００へ引き渡す（Ｓ４０１“Ｙｅｓ”）。この時計表示要求を受けて主制御部３００は、図５に示すように、時計情報を生成して表示制御部３０４によりサブディスプレイ１４に時計を表示する（Ｓ４０２）制御を行う。一方、ステップＳ４０１においてユーザによるファンクションキー２８１〜２８４のうちのいずれかの押下がない場合には、時計表示要求無しとして（Ｓ４０１“Ｎｏ”）、主制御部３００は、上記した第１の動作があるまでサブディスプレイ１４が消灯している待受状態を継続する。
このとき主制御部３００は時間監視を行っており、上記した時計表示要求から又は時計の表示開始から所定の設定時間を経過するまでに続くファンクションキー操作が行われたか否かについて監視している（Ｓ４０３）。そして、主制御部３００は、この所定の設定時間が経過するまでに受話筐体２の背面Ｓ２に設けられたファンクションキー２８１〜２８４のうちのいずれか一つの特定のキー押下（第２の動作）があった場合には（Ｓ４０４“Ｙｅｓ”）ニュース表示要求ありと解釈して表示をニュース表示に切替え、その後、ステップＳ４０５に進む。なお、ここでのニュースは記憶部３０１に記憶されたニュースのうち、ステップＳ４０４において押下された特定のキー押下（第２の動作）があった時点で最も近い時点で受信されたニュースであるものとする。なお、本発明はこれに限定されず、記憶部３０１に記憶されたニュースであればいずれでもよく、例えば未読（未表示）のニュースを優先的に表示してもよい。
反対に、この所定時間が経過するまでにファンクションキー２８１〜２８４のうちいずれか一つの特定のキーの押下がなかった場合には（Ｓ４０４“Ｎｏ”）時計表示が終了した後にニュース表示を行わないように制御する。
【００３７】
このことにより、表示情報量が一定である時計と、表示情報量が変動するニュースとのいずれかをサブディスプレイ１４に表示する制御を行なう場合、思わぬ電力消費を抑制することができる。すなわち、時計は表示情報量が一定であるため、所定の設定時間さえ定めてあれば表示を継続しても思わぬ電力を消費することはない。
一方、ニュースは、表示情報量が変動するため、表示情報量が多い場合は思わぬ電力消費の恐れがあるが、所定の設定時間を経過するまでにニュース表示を要求するファンクションキー操作があった場合に限り、すなわち、ユーザがニュース表示を行いたいという意思表示があった場合に限りニュース表示を実行する。
【００３８】
ステップ４０５では、あらかじめ設定された所定の設定時間と所定の表示時間との比較を行う（Ｓ４０５）。ここで、「所定の設定時間」とは、ファンクションキー２８１〜２８４への操作があったとき、またはファンクションキー２８１〜２８４の操作があって時計が表示されたときから起算されるニュースを表示させる意図があるか否かを判定するために設定された時間をいう。また、「所定の表示時間」とは、時計が表示されたときから起算される時計を表示させるために予め設定された設定時間のことをいう。
【００３９】
ステップＳ４０５の判定処理において、所定の設定時間が所定の表示時間より大きい場合（Ｓ４０５“＞”）、主制御部３００は、所定の表示時間経過後に時計表示を終了させるとともに、所定の設定時間経過後にニュース表示を開始させるように表示制御部３０４を制御する（Ｓ４０６）。また、設定時間と表示時間とが同じ場合（Ｓ４０５“＝”）、あるいは、設定時間が表示時間より小さい場合（ｓ４０５“＜”）は、表示時間(設定時
間)経過後、時計表示を終了するとともにニュース表示を開始させるように表示制御部３
０４を制御する（それぞれＳ４０７、Ｓ４０８）。
続いて、ニュース表示にあたり、主制御部３００は、ニュース情報量とサブディスプレイ１４が持つ表示領域の表示可能な情報量との比較を行い、スクロール制御の要否を判定する（Ｓ４０９）。すなわち、ニュース情報量がサブディスプレイ１４の表示領域の表示可能な情報量より少ないと判定された場合には、スクロール表示不要と判定（Ｓ４０９“＜”）、ニュースをスクロール表示することなくサブディスプレイ１４の表示領域に表示する通常表示を行う（Ｓ４１０）。一方、ニュース情報量がサブディスプレイ１４の表示領域の表示可能な情報量より多いと判定された場合にはスクロール表示要と判定し（Ｓ４０９“＞”）、ニュースの情報が最後まで全て表示されるまでスクロール表示を行う（Ｓ４１２）。図６は、図７に示すニュース全文をスクロール表示する様を表した図である。
【００４０】
なお、ニュースの表示に係る情報量がサブディスプレイ１４の表示領域に表示可能な情報量より多いか少ないかの判断は、受信情報のヘッダに埋め込まれた情報を解読することにより可能である。
【００４１】
なお、通常表示中（Ｓ４１０）、あるいはスクロール表示中（Ｓ４１２）、ユーザが第３の動作としてのファンクションキー（２８１〜２８４のいずれか）操作によるニュース表示取り消し要求があった場合（Ｓ４１１“Ｙｅｓ”またはＳ４１４“Ｙｅｓ”）、主制御部３００はニュース表示を強制終了させることができる（Ｓ４１５）。このことにより、ステップＳ４０４にて意図せずにニュース表示を要求してしまった場合に不要な表示を終了することができる。
なお、ニュース表示が通常表示されて一定時間経過してその表示が終了した場合（Ｓ４１１“Ｙｅｓ”）、あるいはスクロール操作の終了を待って（Ｓ４１３“Ｙｅｓ”）、ニュース表示を終了させることもできる。これにより、サブディスプレイ１４のような比較的表示領域の小さいディスプレイであってもニュース等の受信情報の全文を確実に表示することができる。
【００４２】
図８には、上記したステップＳ４０１〜Ｓ４１５までの一連の処理に伴うサブディスプレイ１４の画面遷移の一例が示されている。
図８に示されるように、（ａ）待機中（サブディスプレイ１４が消灯して待受状態にある）、サブディスプレイ１４消灯時にファンクションキー２８１〜２８４のうちのいずれか１つのキー押下（第１の動作）が検出されると、サブディスプレイ１４上には（ｂ）で示される第１の表示としての時計表示が行なわれる。当該時計表示後、所定の設定時間（例えば、３秒）を監視し、経過すれば時計表示を消灯し、経過までにファンクションキー２８１〜２８４のうちのいずれか１つのキー押下（第２の動作）が検出されると（ｃ）で示されるようなニュース表示が行なわれる。そして、（ｄ）に示されるように表示されたニュースをスクロール操作によってニュース全体の表示を終了させ（例えば、１５秒要）、その後、（ｄ）に示されるようにサブディスプレイ１４を消灯する。
なお、ステップＳ４１０におけるニュースの通常表示中、またはステップＳ４１２におけるニュースのスクロール表示中に上記したニュース取り消し要求たるファンクションキー２８１〜２８４（第３の動作）があればそのスクロール表示は終了され、また、当該ニュースのスクロール表示中、第３の動作とは異なるファンクションキー２８１〜２８４の更なる操作（第４の動作）があった場合は、記憶部３０１に記憶された他のニュース、例えば、ステップＳ４１０またはＳ４１２において表示されるニュースが受信された時点に最も近い時点で通信処理部３０３により受信されたニュースや未読のニュース（未表示のニュース）をサブディスプレイ１４に表示することも可能である。
【００４３】
以上説明のように、上記した本発明の実施の形態に係る表示機器によれば、表示情報量が一定である時計等の情報と表示情報量が変動するニュース等の受信情報のいずれかをサブディスプレイ１４の表示領域に表示する制御を行なう表示機器において、ユーザが、ニュース等の受信情報を表示させたいと解される場合に限り当該受信情報を表示するように制御し、また、所定の設定時間を経過するまでにさらなる動作がなかった場合には、所定の設定時間が経過したときに時計表示を終了すると共に受信情報を表示しないように制御することにより、思わぬ電力消費を伴う恐れを抑制することができる。また、サブディスプレイ１４のように比較的表示領域が小さい表示部であっても表示情報量が変動するニュース等については、スクロール表示を行なうことによりその全文を確実に表示することができる。時計等の表示情報を表示した後、ニュース等の受信情報を迅速に表示することができる。また、意図しない第２の動作を行ってしまい、受信情報を誤って表示をしてしまった場合にも第３の動作を行うことによってニュース表示を取り消すことができるため、不要な表示を好適に中止することができ、思わぬ電力消費を抑制することができる。
【００４４】
また、本発明の実施の形態に係る表示制御方法は、操作部（例えば、２８１〜１８４）と、所定の表示領域を有する表示部（例えば、ザブディスプレイ１４）と、表示情報量が一定である第１の情報（例えば、時計）と表示情報量が変動する第２の情報（例えば、ニュース）のいずれかを前記表示領域に表示する制御を行う制御部（回路基板３０）と、を備えた表示機器に用いられる表示制御方法であって、第１の動作に応じて前記第１の情報を前記表示領域に表示するステップ（例えば、図４のＳ４０１とＳ４０２）と、前記第１の動作から又は前記第１の情報の表示開始から所定の設定時間が経過するまでに第２の動作が行われた場合には、前記第１の情報の表示が終了した後に前記第２の情報を前記表示領域に表示するステップ（例えば、図４のＳ４０３〜Ｓ４０８）と、前記所定の設定時間を経過するまでに前記第２の動作が行われなかった場合には、前記第１の情報の表示が終了した後に前記第２の情報を前記表示領域に表示しないように制御するステップと（Ｓ４０４“Ｎｏ”〜エンド）、とを有するものである。
【００４５】
上記した本発明の実施の形態に係る表示制御方法によれば、表示情報量が一定である時計等の情報と表示情報量が変動するニュース等の受信情報のいずれかをサブディスプレイ１４の表示領域に表示する制御を行なう表示制御方法において、ユーザが、ニュース等の受信情報を表示させたいと解される場合に限り当該受信情報を表示するように制御し、また、所定の設定時間を経過するまでにさらなる動作がなかった場合には、所定の設定時間が経過したときに時計表示を終了すると共に受信情報を表示しないように制御することにより、思わぬ電力消費を伴う恐れを抑制することができる。
【００４６】
なお、上記した本発明の実施の形態によれば、ファンクションキー２８１〜２８４のいずれかを操作することにより、時計もしくはニュース等の受信情報をサブディスプレイ１４の表示領域に表示するものとして説明したが、これらの表示、あるいは表示切替えのトリガは、サイドキー、あるいは筐体の開閉動作で代替してもよい。また、サブディスプレイ１４による表示については、第１の情報と第２の情報とのいずれかを所定の表示領域に表示する制御がされるようなメインディスプレイ１３による表示で代替してもよい。また、第１の情報として時計を例示したが、電波状態や電池残量等、表示情報量が一定のものであれば適用が可能であり、また、第２の情報として、ニュースを例示したが、メール本文等、表示情報量が変動するものであれば適用が可能である。また、本実施形態においては、第２の情報を第１の表示が終了した後に表示する構成となっていたが（Ｓ４０６、Ｓ４０７、Ｓ４０８）、本発明はこれに限定されず、第１の表示中、第２の動作（ファンクションキー２８１〜２８４の操作）があったことを契機に第１の表示を強制的に終了してそのまま第２の表示を行う構成にしてもよい。これにより、時計等の表示情報を表示した後、ニュース等の受信情報を迅速に表示することができる。
【００４７】
なお、上記した本発明の実施の形態によれば、表示機器として携帯電話機等の携帯情報端末を例示したが、携帯電話に限らず、ＰＤＡ（Personal Digital Assistants）、やゲ
ーム機等にも同様に適用が可能である。また、本発明の表示機器が持つ各構成ブロックの機能は、全てをソフトウェアによって実現しても、あるいはその少なくとも一部をハードウエアで実現してもよい。例えば、主制御部３００における処理や、通信処理部３０３、表示制御部３０４におけるデータ処理は、１または複数のプログラムによりコンピュータ上で実現してもよく、また、その少なくとも一部をハードウエアで実現してもよい。
【符号の説明】
【００４８】
１…携帯情報端末（表示機器）、２…受話筐体、３…送話筐体、４…連結部、１３…メインディスプレイ、１４…サブディスプレイ、１８…操作部、３０…回路基板、３００…主制御部（制御部）、３０１…記憶部、３０２…操作入力取得部、３０３…通信処理部、３０４…表示制御部、３０５…表示用メモリ。
【図１】
2011234384.tif 000003
【図２】
2011234384.tif 000004
【図３】
2011234384.tif 000005
【図４】
2011234384.tif 000006
【図５】
2011234384.tif 000007
【図６】
2011234384.tif 000008
【図７】
2011234384.tif 000009
【図８】
2011234384.tif 000010
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
表示機器の制御方法であって、
前記表示機器は、ディスプレイが消灯している状態において、当該表示機器が操作されると、前記ディスプレイを点灯させて時計を表示するとともに、所定時間経過後には当該ディスプレイを消灯し、
前記所定時間内に当該表示機器が操作されると、当該所定時間経過後も前記ディスプレイを点灯させたまま新たな情報を表示する、
ことを特徴とする制御方法。
【請求項２】
ディスプレイが消灯している状態において、操作が行われると、前記ディスプレイを点灯させて時計を表示するとともに、所定時間経過後には当該ディスプレイを消灯する制御手段を備え、
前記制御手段は、前記所定時間内に操作が行われると、当該所定時間経過後も前記ディスプレイを点灯させたまま新たな情報を表示する、
ことを特徴とする表示機器。
【手続補正２】
【補正対象書類名】明細書
【補正対象項目名】０００８
【補正方法】変更
【補正の内容】
【０００８】
上記課題を解決するために本発明の第１の観点の表示機器の制御方法は、表示機器の制御方法であって、前記表示機器は、ディスプレイが消灯している状態において、当該表示機器が操作されると、前記ディスプレイを点灯させて時計を表示するとともに、所定時間経過後には当該ディスプレイを消灯し、前記所定時間内に当該表示機器が操作されると、当該所定時間経過後も前記ディスプレイを点灯させたまま新たな情報を表示する。
【手続補正３】
【補正対象書類名】明細書
【補正対象項目名】０００９
【補正方法】変更
【補正の内容】
【０００９】
本発明の第２の観点の表示機器は、ディスプレイが消灯している状態において、操作が行われると、前記ディスプレイを点灯させて時計を表示するとともに、所定時間経過後には当該ディスプレイを消灯する制御手段を備え、前記制御手段は、前記所定時間内に操作が行われると、当該所定時間経過後も前記ディスプレイを点灯させたまま新たな情報を表示する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
表示機器の制御方法であって、
前記表示機器は、ディスプレイが消灯している状態において、当該表示機器が操作されると、前記ディスプレイを点灯させて時計を表示するとともに、所定時間経過後には当該ディスプレイを消灯し、
前記所定時間内に当該表示機器が操作されると、当該所定時間よりも長く前記ディスプレイを点灯させたまま新たな情報を表示する
ことを特徴とする制御方法。
【請求項２】
ディスプレイが消灯している状態において、操作が行われると、前記ディスプレイを点灯させて時計を表示するとともに、所定時間経過後には当該ディスプレイを消灯する制御手段を備え、
前記制御手段は、前記所定時間内に操作が行われると、当該所定時間よりも長く前記ディスプレイを点灯させたまま新たな情報を表示する、
ことを特徴とする表示機器。
【手続補正２】
【補正対象書類名】明細書
【補正対象項目名】０００８
【補正方法】変更
【補正の内容】
【０００８】
上記課題を解決するために本発明の第１の観点の表示機器の制御方法は、表示機器の制御方法であって、前記表示機器は、ディスプレイが消灯している状態において、当該表示機器が操作されると、前記ディスプレイを点灯させて時計を表示するとともに、所定時間経過後には当該ディスプレイを消灯し、前記所定時間内に当該表示機器が操作されると、当該所定時間よりも長く前記ディスプレイを点灯させたまま新たな情報を表示する。
【手続補正３】
【補正対象書類名】明細書
【補正対象項目名】０００９
【補正方法】変更
【補正の内容】
【０００９】
本発明の第２の観点の表示機器は、ディスプレイが消灯している状態において、操作が行われると、前記ディスプレイを点灯させて時計を表示するとともに、所定時間経過後には当該ディスプレイを消灯する制御手段を備え、
前記制御手段は、前記所定時間内に操作が行われると、当該所定時間よりも長く前記ディスプレイを点灯させたまま新たな情報を表示する。